(57)【要約】【課題】ナビゲーション装置における目的地の設定を簡略化できるようにする。【解決手段】鍵２０は、ユーザが使用する車両の鍵であり、書込み可能なＩＣタグ２２を有している。読取書込装置１００は、ユーザのユーザ端末２００に接続され、ＩＣタグ２２に対して書き込みを行う。ナビゲーション装置４００は、ユーザの車両に設けられている。読取書込装置１００は、ユーザが選択した目的地の目的地識別情報をユーザ端末２００から受信してＩＣタグ２２に書き込む。ナビゲーション装置４００は、目的地それぞれごとに、位置情報及び目的地識別情報を互いに対応付けて記憶している。そしてナビゲーション装置４００は、ＩＣタグ２２から目的地識別情報を読み取り、読み取った目的地識別情報が示す位置情報を読み出して行き先に設定する。【選択図】図１
2010210578.tif 000002
【特許請求の範囲】
【請求項１】
ユーザが携帯する物であり、書込み可能なＩＣタグを有しているＩＣタグ保持物と、
前記ユーザのユーザ端末に接続され、前記ＩＣタグに対して書き込みを行う書込装置と、
ユーザの車両に設けられたナビゲーション装置と、
を備え、
前記書込装置は、
ユーザが選択した目的地の目的地識別情報を前記ユーザ端末から受信する書込情報受信手段と、
前記ＩＣタグに、前記書込情報受信手段が受信した前記目的地識別情報を書き込む書込手段と、
を備え、
前記ナビゲーション装置は、
目的地それぞれごとに、位置情報及び前記目的地識別情報を互いに対応付けて記憶する位置情報記憶手段と、
前記ＩＣタグから前記目的地識別情報を読み取る読取手段と、
前記読取手段が読み取った前記目的地識別情報に対応する前記位置情報を前記位置情報記憶手段から読み出す目的地設定手段と、
を備える目的地設定システム。
【請求項２】
請求項１に記載の目的地設定システムにおいて、
目的地それぞれごとに、目的地情報及び目的地識別情報を互いに対応付けて記憶する目的地情報サーバをさらに備え、
前記ＩＣタグ又は前記書込装置は、前記目的地情報サーバに接続するための接続情報を記憶しており、
前記書込装置は、前記ユーザ端末に前記接続情報を送信して前記ユーザ端末を前記目的地情報サーバに接続させる接続指示手段と、
を有する目的地設定システム。
【請求項３】
請求項２に記載の目的地設定システムにおいて、
前記ＩＣタグは、さらに前記ユーザのユーザ識別情報を記憶しており、
前記目的地情報サーバは、
前記ユーザ端末から、前記ＩＣタグが記憶している前記ユーザ識別情報を、前記ユーザが選択した前記目的地の前記目的地識別情報、及び前記ユーザが予約した内容を示す予約情報に対応付けて受信する予約情報受信手段と、
前記予約情報受信手段が受信した前記ユーザ識別情報、前記目的地識別情報、及び前記予約情報を互いに対応付けて記憶する予約情報記憶手段と、
前記目的地に設置された目的地端末から、前記ユーザ識別情報を当該目的地の前記目的地識別情報に対応付けて受信したときに、受信した前記ユーザ識別情報及び前記目的地識別情報の組み合わせに対応する前記予約情報を前記予約情報記憶手段から読み出して前記目的地端末に送信する予約情報送信手段と、
を備える目的地設定システム。
【請求項４】
ユーザが携帯する物であり、ユーザ識別情報を記憶しているＩＣタグを有しているＩＣタグ保持物と、
ユーザが選択した目的地を特定する目的地識別情報を記憶する目的地情報サーバと、
ユーザの車両に設けられたナビゲーション装置と、
を備え、
前記目的地情報サーバは、
ユーザ端末から、前記ユーザが選択した前記目的地の前記目的地識別情報を、前記ＩＣタグが記憶している前記ユーザ識別情報に対応付けて受信する選択情報受信手段と、
前記選択情報受信手段が受信した前記目的地識別情報及び前記ユーザ識別情報を互いに対応付けて記憶する選択情報記憶手段と、
前記ナビゲーション装置から前記ユーザ識別情報を受信し、前記ユーザ識別情報に対応する前記目的地識別情報を前記選択情報記憶手段から読み出して前記ナビゲーション装置に送信する目的地識別情報送信手段と、
を有し、
前記ナビゲーション装置は、
目的地それぞれごとに、位置情報及び前記目的地識別情報を互いに対応付けて記憶する位置情報記憶手段と、
前記ＩＣタグから前記ユーザ識別情報を読み取る読取手段と、
前記読取手段が読み取った前記ユーザ識別情報を前記目的地情報サーバに送信する送信手段と、
前記目的地情報サーバから前記目的地識別情報を受信する目的地識別情報受信手段と、
前記目的地識別情報受信手段が受信した前記目的地識別情報が示す前記位置情報を前記位置情報記憶手段から読み出す目的地設定手段と、
を備える目的地設定システム。
【請求項５】
請求項４に記載の目的地設定システムにおいて、
前記ユーザ端末に接続され、前記ＩＣタグから前記ユーザ識別情報を読み取る読取装置をさらに備え、
前記ＩＣタグ又は前記読取装置は、前記目的地情報サーバに接続するための接続情報を記憶しており、
前記読取装置は、前記ユーザ端末に前記接続情報を送信して前記ユーザ端末を前記目的地情報サーバに接続させる接続指示手段と、
を有する目的地設定システム。
【請求項６】
請求項４又は５に記載の目的地設定システムにおいて、
前記目的地情報サーバは、
前記ユーザ端末から、前記ＩＣタグが記憶している前記ユーザ識別情報を、前記ユーザが選択した前記目的地の前記目的地識別情報、及び前記ユーザが予約した内容を示す予約情報に対応付けて受信する予約情報受信手段と、
前記予約情報受信手段が受信した前記ユーザ識別情報、前記目的地識別情報、及び前記予約情報を互いに対応付けて記憶する予約情報記憶手段と、
前記目的地に設置された目的地端末から、前記ユーザ識別情報を当該目的地の前記目的地識別情報に対応付けて受信したときに、受信した前記ユーザ識別情報及び前記目的地識別情報の組み合わせに対応する前記予約情報を前記予約情報記憶手段から読み出して前記目的地端末に送信する予約情報送信手段と、
を備える目的地設定システム。
【請求項７】
請求項１〜６のいずれか一つに記載の目的地設定システムにおいて、
前記携帯物は前記車両の鍵である目的地設定システム。
【請求項８】
車両のナビゲーション装置であって、
目的地それぞれごとに位置情報及び目的地識別情報を互いに対応付けて記憶する位置情報記憶手段と、
ユーザが携帯するＩＣタグ保持物に取り付けられたＩＣタグから前記目的地識別情報を読み取る読取手段と、
前記読取手段が読み取った前記目的地識別情報が示す前記位置情報を読み出す目的地設定手段と、
を備えるナビゲーション装置。
【請求項９】
車両のナビゲーション装置であって、
目的地それぞれごとに位置情報及び目的地識別情報を互いに対応付けて記憶する位置情報記憶手段と、
ユーザが携帯するＩＣタグ保持物に取り付けられたＩＣタグからユーザ識別情報を読み取る読取手段と、
前記読取手段が読み取った前記ユーザ識別情報を目的地情報サーバに送信する送信手段と、
前記目的地情報サーバから前記目的地識別情報を受信する目的地情報受信手段と、
前記目的地情報受信手段が受信した前記目的地識別情報が示す前記位置情報を前記位置情報記憶手段から読み出す目的地設定手段と、
を備えるナビゲーション装置。
【請求項１０】
目的地を特定するための目的地識別情報を車のナビゲーション装置に送信する目的地情報サーバであって、
ユーザ端末からユーザ識別情報及び前記目的地識別情報を受信して記憶する選択情報記憶手段と、
前記ナビゲーション装置から前記ユーザ識別情報を受信するユーザ識別情報受信手段と、
前記ユーザ識別情報受信手段が受信した前記ユーザ識別情報に対応する前記目的地識別情報を前記選択情報記憶手段から読み出して前記ナビゲーション装置に送信する目的地情報送信手段と、
を備える目的地情報サーバ。
【請求項１１】
車に設けられたナビゲーション装置に、目的地それぞれごとに位置情報及び目的地識別情報を互いに対応付けて記憶する位置情報記憶手段を設け、
ユーザが携帯するＩＣタグ保持物に設けられ、書込み可能なＩＣタグに、ユーザが選択した目的地の目的地識別情報を書き込み、
前記ナビゲーション装置が、前記ＩＣタグから前記目的地識別情報を読み取り、読み取った前記目的地識別情報が示す前記位置情報を前記位置情報記憶手段から読み出す、目的地設定方法。
【請求項１２】
車両に設けられたナビゲーション装置に、目的地それぞれごとに位置情報及び目的地識別情報を互いに対応付けて記憶する位置情報記憶手段を設け、
ユーザが携帯するＩＣタグ保持物に設けられたＩＣタグに、ユーザ識別情報を記憶させておき、
ユーザ端末が、前記ＩＣタグから読み取られた前記ユーザ識別情報と、前記ユーザが選択した前記目的地の前記目的地識別情報とを互いに対応付けて目的地情報サーバに送信し、
前記目的地情報サーバが、受信した前記目的地識別情報及び前記ユーザ識別情報を互いに対応付けて記憶し、
前記ナビゲーション装置が、前記ＩＣタグから前記ユーザ識別情報を読み取って前記目的地情報サーバに送信し、
前記目的地情報サーバが、受信した前記ユーザ識別情報に対応する前記目的地識別情報を前記ナビゲーション装置に送信し、
前記ナビゲーション装置が、前記目的地情報サーバから受信した前記目的地識別情報が示す前記位置情報を前記位置情報記憶手段から読み出す目的地設定方法。
【請求項１３】
コンピュータを、車両のナビゲーション装置として機能させるためのプログラムであって、
前記コンピュータに、
目的地それぞれごとに位置情報及び目的地識別情報を互いに対応付けて記憶する機能と、
ユーザが携帯するＩＣタグ保持物に取り付けられたＩＣタグから前記目的地識別情報を読み取る機能と、
読み取った前記目的地識別情報が示す前記位置情報を読み出す機能と、
を実現させるプログラム。
【請求項１４】
コンピュータを、車両のナビゲーション装置として機能させるためのプログラムであって、
目的地それぞれごとに位置情報及び目的地識別情報を互いに対応付けて記憶する機能と、
ユーザが携帯するＩＣタグ保持物に取り付けられたＩＣタグからユーザ識別情報を読み取って目的地情報サーバに送信する機能と、
前記目的地情報サーバから前記目的地識別情報を受信する機能と、
受信した前記目的地識別情報が示す前記位置情報を読み出す機能と、
を備える実現させるプログラム。
【請求項１５】
コンピュータを、目的地を特定するための目的地識別情報を車両のナビゲーション装置に送信する目的地情報サーバとして機能させるためのプログラムであって、
ユーザ端末からユーザ識別情報及び前記目的地識別情報を受信して記憶する機能と、
前記ナビゲーション装置から前記ユーザ識別情報を受信する機能と、
受信した前記ユーザ識別情報に対応する前記目的地識別情報を前記ナビゲーション装置に送信する機能と、
を実現させるプログラム。
【発明の詳細な説明】
【技術分野】
【０００１】
本発明は、ナビゲーション装置における目的地の設定を簡略化できる目的地設定システム、ナビゲーション装置、目的地情報サーバ、目的地設定方法、及びプログラムに関する。
【背景技術】
【０００２】
車にナビゲーション装置が搭載されることが増えている。ナビゲーション装置は、目的地を設定すると、設定された目的地までのルートを検索して表示する。目的地の設定方法としては、例えば目的地の名称、住所、又は電話番号を入力してナビゲーション装置に検索させる方法がある。
【０００３】
また特許文献１には、購入した物品や役務に付随するＩＣタグから購入先情報を取得して、購入先についての利用統計情報に基づいて目的地候補を選択するナビゲーション装置が記載されている。
【０００４】
また特許文献２には、携行品に取り付けられたＩＣタグに記憶されている携行品の識別情報を読み取り、読み取った識別情報に基づいて施設ジャンルを特定して検索が行なえるナビゲーション装置が記載されている。
【先行技術文献】
【特許文献】
【０００５】
【特許文献１】特開２００８−７０３３７号公報
【特許文献２】特開２００５−２８３３６８号公報
【発明の概要】
【発明が解決しようとする課題】
【０００６】
車に乗る前に目的地が決まっている場合、事前にインターネット等を用いて目的地の情報を収集することが多い。このような場合でも、ナビゲーション装置に対してはマニュアルで目的地を設定する必要があり、目的地の設定を簡略化することができなかった。
【０００７】
本発明は上記事情に鑑みてなされたものであり、その目的とするところは、ナビゲーション装置における目的地の設定を簡略化できる目的地設定システム、ナビゲーション装置、目的地情報サーバ、目的地設定方法、及びプログラムを提供することにある。
【課題を解決するための手段】
【０００８】
本発明によれば、ユーザが携帯する物であり、書込み可能なＩＣタグを有しているＩＣタグ保持物と、
前記ユーザのユーザ端末に接続され、前記ＩＣタグに対して書き込みを行う書込装置と、
ユーザの車両に設けられたナビゲーション装置と、
を備え、
前記書込装置は、
ユーザが選択した目的地の目的地識別情報を前記ユーザ端末から受信する書込情報受信手段と、
前記ＩＣタグに、前記書込情報受信手段が受信した前記目的地識別情報を書き込む書込手段と、
を備え、
前記ナビゲーション装置は、
目的地それぞれごとに、位置情報及び前記目的地識別情報を互いに対応付けて記憶する位置情報記憶手段と、
前記ＩＣタグから前記目的地識別情報を読み取る読取手段と、
前記読取手段が読み取った前記目的地識別情報に対応する前記位置情報を前記位置情報記憶手段から読み出す目的地設定手段と、
を備える目的地設定システムが提供される。
【０００９】
本発明によれば、ユーザが携帯する物であり、ユーザ識別情報を記憶しているＩＣタグを有しているＩＣタグ保持物と、
ユーザが選択した目的地を特定する目的地識別情報を記憶する目的地情報サーバと、
ユーザの車両に設けられたナビゲーション装置と、
を備え、
前記目的地情報サーバは、
ユーザ端末から、前記ユーザが選択した前記目的地の前記目的地識別情報を、前記ＩＣタグが記憶している前記ユーザ識別情報に対応付けて受信する選択情報受信手段と、
前記選択情報受信手段が受信した前記目的地識別情報及び前記ユーザ識別情報を互いに対応付けて記憶する選択情報記憶手段と、
前記ナビゲーション装置から前記ユーザ識別情報を受信し、前記ユーザ識別情報に対応する前記目的地識別情報を前記選択情報記憶手段から読み出して前記ナビゲーション装置に送信する目的地識別情報送信手段と、
を有し、
前記ナビゲーション装置は、
目的地それぞれごとに、位置情報及び前記目的地識別情報を互いに対応付けて記憶する位置情報記憶手段と、
前記ＩＣタグから前記ユーザ識別情報を読み取る読取手段と、
前記読取手段が読み取った前記ユーザ識別情報を前記目的地情報サーバに送信する送信手段と、
前記目的地情報サーバから前記目的地識別情報を受信する目的地識別情報受信手段と、
前記目的地識別情報受信手段が受信した前記目的地識別情報が示す前記位置情報を前記位置情報記憶手段から読み出す目的地設定手段と、
を備える目的地設定システムが提供される。
【００１０】
本発明によれば、車両のナビゲーション装置であって、
目的地それぞれごとに位置情報及び目的地識別情報を互いに対応付けて記憶する位置情報記憶手段と、
ユーザが携帯するＩＣタグ保持物に取り付けられたＩＣタグから前記目的地識別情報を読み取る読取手段と、
前記読取手段が読み取った前記目的地識別情報が示す前記位置情報を読み出す目的地設定手段と、
を備えるナビゲーション装置が提供される。
【００１１】
本発明によれば、車両のナビゲーション装置であって、
目的地それぞれごとに位置情報及び目的地識別情報を互いに対応付けて記憶する位置情報記憶手段と、
ユーザが携帯するＩＣタグ保持物に取り付けられたＩＣタグからユーザ識別情報を読み取る読取手段と、
前記読取手段が読み取った前記ユーザ識別情報を目的地情報サーバに送信する送信手段と、
前記目的地情報サーバから前記目的地識別情報を受信する目的地情報受信手段と、
前記目的地情報受信手段が受信した前記目的地識別情報が示す前記位置情報を前記位置情報記憶手段から読み出す目的地設定手段と、
を備えるナビゲーション装置が提供される。
【００１２】
本発明によれば、目的地を特定するための目的地識別情報を車のナビゲーション装置に送信する目的地情報サーバであって、
ユーザ端末からユーザ識別情報及び前記目的地識別情報を受信して記憶する選択情報記憶手段と、
前記ナビゲーション装置から前記ユーザ識別情報を受信するユーザ識別情報受信手段と、
前記ユーザ識別情報受信手段が受信した前記ユーザ識別情報に対応する前記目的地識別情報を前記選択情報記憶手段から読み出して前記ナビゲーション装置に送信する目的地情報送信手段と、
を備える目的地情報サーバが提供される。
【００１３】
本発明によれば、車に設けられたナビゲーション装置に、目的地それぞれごとに位置情報及び目的地識別情報を互いに対応付けて記憶する位置情報記憶手段を設け、
ユーザが携帯するＩＣタグ保持物に設けられ、書込み可能なＩＣタグに、ユーザが選択した目的地の目的地識別情報を書き込み、
前記ナビゲーション装置が、前記ＩＣタグから前記目的地識別情報を読み取り、読み取った前記目的地識別情報が示す前記位置情報を前記位置情報記憶手段から読み出す目的地設定方法が提供される。
【００１４】
本発明によれば、車両に設けられたナビゲーション装置に、目的地それぞれごとに位置情報及び目的地識別情報を互いに対応付けて記憶する位置情報記憶手段を設け、
ユーザが携帯するＩＣタグ保持物に設けられたＩＣタグに、ユーザ識別情報を記憶させておき、
ユーザ端末が、前記ＩＣタグから読み取られた前記ユーザ識別情報と、前記ユーザが選択した前記目的地の前記目的地識別情報とを互いに対応付けて目的地情報サーバに送信し、
前記目的地情報サーバが、受信した前記目的地識別情報及び前記ユーザ識別情報を互いに対応付けて記憶し、
前記ナビゲーション装置が、前記ＩＣタグから前記ユーザ識別情報を読み取って前記目的地情報サーバに送信し、
前記目的地情報サーバが、受信した前記ユーザ識別情報に対応する前記目的地識別情報を前記ナビゲーション装置に送信し、
前記ナビゲーション装置が、前記目的地情報サーバから受信した前記目的地識別情報が示す前記位置情報を前記位置情報記憶手段から読み出す目的地設定方法が提供される。
【００１５】
本発明によれば、コンピュータを、車両のナビゲーション装置として機能させるためのプログラムであって、
前記コンピュータに、
目的地それぞれごとに位置情報及び目的地識別情報を互いに対応付けて記憶する機能と、
ユーザが携帯するＩＣタグ保持物に取り付けられたＩＣタグから前記目的地識別情報を読み取る機能と、
読み取った前記目的地識別情報が示す前記位置情報を読み出す機能と、
を実現させるプログラムが提供される。
【００１６】
本発明によれば、コンピュータを、車両のナビゲーション装置として機能させるためのプログラムであって、
目的地それぞれごとに位置情報及び目的地識別情報を互いに対応付けて記憶する機能と、
ユーザが携帯するＩＣタグ保持物に取り付けられたＩＣタグからユーザ識別情報を読み取って目的地情報サーバに送信する機能と、
前記目的地情報サーバから前記目的地識別情報を受信する機能と、
受信した前記目的地識別情報が示す前記位置情報を読み出す機能と、
を備える実現させるプログラムが提供される。
【００１７】
本発明によれば、コンピュータを、目的地を特定するための目的地識別情報を車両のナビゲーション装置に送信する目的地情報サーバとして機能させるためのプログラムであって、
ユーザ端末からユーザ識別情報及び前記目的地識別情報を受信して記憶する機能と、
前記ナビゲーション装置から前記ユーザ識別情報を受信する機能と、
受信した前記ユーザ識別情報に対応する前記目的地識別情報を前記ナビゲーション装置に送信する機能と、
を実現させるプログラムが提供される。
【発明の効果】
【００１８】
本発明によれば、ナビゲーション装置における目的地の設定を簡略化することができる。
【図面の簡単な説明】
【００１９】
【図１】第１の実施形態における目的地設定システムの構成を示す図である。
【図２】読取書込装置の機能構成を示すブロック図である。
【図３】ユーザ端末の機能構成を示すブロック図である。
【図４】目的地情報サーバの機能構成を示すブロック図である。
【図５】目的地情報記憶部が記憶しているデータをテーブル形式で示す図である。
【図６】予約情報記憶部が記憶しているデータをテーブル形式で示す図である。
【図７】ナビゲーション装置の機能構成を示すブロック図である。
【図８】位置情報記憶部が記憶しているデータをテーブル形式で示す図である。
【図９】図１に示した目的地設定システムの第１の動作を示すフローチャートである。
【図１０】図１に示した目的地設定システムの第２の動作を示すフローチャートである。
【図１１】図１に示した目的地設定システムの第３の動作を示すフローチャートである。
【図１２】第２の実施形態に係る目的地設定システムの構成を示す図である。
【図１３】目的地情報サーバの機能構成を示すブロック図である。
【図１４】ナビゲーション装置の機能構成を示すブロック図である。
【図１５】ユーザが予約を行うときの目的地設定システムの動作を示すフローチャートである。
【図１６】ユーザがナビゲーション装置に目的地を設定するときの目的地設定システムの動作を示すフローチャートである。
【発明を実施するための形態】
【００２０】
以下、本発明の実施形態について、図面を用いて説明する。尚、すべての図面において、同様な構成要素には同様の符号を付し、適宜説明を省略する。
【００２１】
（第１の実施形態）
図１は、第１の実施形態における目的地設定システムの構成を示す図である。この目的地設定システムは、ユーザが携帯するＩＣタグ保持物としての鍵２０、読取書込装置１００、及びナビゲーション装置４００を備える。鍵２０は、ユーザが使用する車両の鍵であり、書込み可能なＩＣタグ２２を有している。ＩＣタグ２２は、例えばＲＦＩＤ（Radio Frequency Identification）であるが、他のＩＣタグであっても良い。読取書込装置１００は、ユーザのユーザ端末２００に接続され、ＩＣタグ２２に対して書き込みを行う。ナビゲーション装置４００は、ユーザの車両に設けられている。
【００２２】
読取書込装置１００は、ユーザが選択した目的地の目的地識別情報をユーザ端末２００から受信してＩＣタグ２２に書き込む。ナビゲーション装置４００は、目的地それぞれごとに、位置情報及び目的地識別情報を互いに対応付けて記憶している。そしてナビゲーション装置４００は、ＩＣタグ２２から目的地識別情報を読み取り、読み取った目的地識別情報が示す位置情報を読み出す。そしてユーザまたはナビゲーション装置４００は、読み出された位置情報を用いて行き先を設定する。
【００２３】
目的地設定システムは、さらに目的地情報サーバ３００を有している、目的地情報サーバ３００は、通信網５０及びゲートウェイサーバ５００を介してユーザ端末２００に接続している。
【００２４】
目的地情報サーバ３００は、目的地別に、目的地識別情報及び目的地情報を記憶している。目的地情報は、例えば目的地においてユーザが購入することができる商品や役務、目的地の周辺情報などである。目的地情報サーバ３００は、ユーザ端末２００に目的地情報及び目的地識別情報を送信する。ユーザ端末２００のユーザは、目的地情報サーバ３００から送信された目的地情報を参考にして目的地を選択する。ユーザ端末２００は、ユーザが選択した目的地の目的地識別情報を、読取書込装置１００を介してＩＣタグ２２に書き込む。
【００２５】
またＩＣタグ２２には、ユーザを識別するユーザ識別情報が記憶されている。ユーザ識別情報は、ＩＣタグ２２に予め割り振られていたタグ識別情報であっても良いし、タグ識別情報とは別に割り振られた識別情報であっても良い。読取書込装置１００は、ＩＣタグ２２からユーザ識別情報を読み取り、ユーザ端末２００に出力する。
【００２６】
ユーザ端末２００は、ユーザが目的地に関する何らかの予約を行ったとき、予約した内容を示す予約情報を、目的地識別情報及びユーザ識別情報に対応付けて目的地情報サーバ３００に送信する。目的地情報サーバ３００は、受信した予約情報を、目的地識別情報及びユーザ識別情報に対応付けて記憶する。
【００２７】
目的地に設置された目的地端末６００は、予めその目的地の目的地識別情報を記憶している。目的地端末６００は、目的地に到着したユーザが所有している鍵２０のＩＣタグ２２から、ユーザ識別情報を読み取る。目的地端末６００は、通信網５０及びゲートウェイサーバ５００を介して目的地情報サーバ３００と通信する。目的地端末６００は、目的地情報サーバ３００に、ＩＣタグ２２から読み取ったユーザ識別情報及びその目的地の目的地識別情報を送信する。目的地情報サーバ３００は、受信したユーザ識別情報及び目的地識別情報の組み合わせに対応する予約情報を読み出して、目的地端末６００に送信する。
【００２８】
なおＩＣタグ２２は、目的地情報サーバ３００に接続するための接続情報を記憶していても良い。この場合、読取書込装置１００は、ＩＣタグ２２から接続情報を読み取ってユーザ端末２００に出力し、ユーザ端末２００に、目的地情報サーバ３００に接続させる。この接続情報は、読取書込装置１００が記憶していても良い。
【００２９】
接続情報は、例えばゲートウェイサーバ５００のＵＲＬ（Uniform Resource Locator）である。この場合、ゲートウェイサーバ５００は、目的地情報サーバ３００のＵＲＬを、ユーザ識別情報に対応付けて記憶している。そして、ユーザ端末２００からユーザ識別情報が送信されたとき、ゲートウェイサーバ５００は、送信されてきたユーザ識別情報に対応するＵＲＬを読み出し、読み出したＵＲＬを用いてユーザ識別情報を目的地情報サーバ３００に送信する。これにより、ユーザ端末２００と目的地情報サーバ３００は接続される。なお、接続情報は目的地情報サーバ３００のＵＲＬであってもよい。
【００３０】
図２は、読取書込装置１００の機能構成を示すブロック図である。読取書込装置１００は、読取部１１０、情報送信部１２０、情報受信部１３０、及び書込部１４０を備える。読取部１１０は、ＩＣタグ２２から情報を読み取る。情報送信部１２０は、読取部１１０が読み取った情報をユーザ端末２００に出力する。情報受信部１３０は、ＩＣタグ２２に書き込むべき目的地識別情報をユーザ端末２００から受信する。書込部１４０は、情報受信部１３０が受信した目的地識別情報をＩＣタグ２２に書き込む。
【００３１】
なお、ＩＣタグ２２に上記した接続情報が記憶されている場合、情報送信部１２０は接続指示手段として機能し、ユーザ端末２００に接続情報を送信して目的地情報サーバ３００に接続させる。
【００３２】
図３は、ユーザ端末２００の機能構成を示すブロック図である。ユーザ端末２００は、読取情報受信部２１０、情報送信部２２０、目的地情報受信部２３０、目的地情報表示部２４０、及び選択情報入力部２５０を備える。
【００３３】
読取情報受信部２１０は、読取書込装置１００がＩＣタグ２２から読み取ったユーザ識別情報を受信する。情報送信部２２０は、読取情報受信部２１０が受信したユーザ識別情報を目的地情報サーバ３００に送信する。読取情報受信部２１０が読取書込装置１００から接続情報を受信した場合、情報送信部２２０は、接続情報を用いて目的地情報サーバ３００に接続する。
【００３４】
目的地情報受信部２３０は、目的地情報サーバ３００から目的地情報及び目的地識別情報を受信する。目的地情報表示部２４０は、目的地情報受信部２３０が受信した目的地情報をユーザ端末２００の表示装置に表示させるとともに、目的地情報及び目的地識別情報を一時的に記憶する。
【００３５】
選択情報入力部２５０は、ユーザから、ユーザが選択した目的地を特定する情報が入力される。そして選択情報入力部２５０は、入力された情報に対応する目的地識別情報を目的地情報表示部２４０から読み出し、読取書込装置１００を介してＩＣタグ２２に書き込む。また選択情報入力部２５０は、目的地情報表示部２４０から読み出した目的地識別情報を、読取情報受信部２１０が受信していたユーザ識別情報に対応付けて目的地情報サーバ３００に送信する。
【００３６】
また、選択情報入力部２５０には、選択した目的地を特定する情報とともに、上記した予約情報が入力されることがある。この場合、選択情報入力部２５０は、入力された予約情報を、目的地識別情報及びユーザ識別情報に対応付けて目的地情報サーバ３００に送信する。
【００３７】
なお、図３において、本発明の本質に関わらない部分の構成については省略している。図３に示したユーザ端末２００の各構成要素は、ハードウエア単位の構成ではなく、機能単位のブロックを示している。ユーザ端末２００の各構成要素は、任意のコンピュータのＣＰＵ、メモリ、メモリにロードされた本図の構成要素を実現するプログラム、そのプログラムを格納するハードディスクなどの記憶ユニット、ネットワーク接続用インタフェースを中心にハードウエアとソフトウエアの任意の組合せによって実現される。そして、その実現方法、装置には様々な変形例があることは、当業者には理解されるところである。
【００３８】
図４は、目的地情報サーバ３００の機能構成を示すブロック図である。目的地情報サーバ３００は、目的地情報記憶部３１０及び目的地情報送信部３２０を備える。目的地情報記憶部３１０は、目的地それぞれごとに、目的地情報及び目的地識別情報を互いに対応付けて記憶している。目的地情報送信部３２０は、ユーザ端末２００に、目的地情報記憶部３１０が記憶している目的地情報及び目的地識別情報を互いに対応付けて送信する。
【００３９】
また目的地情報サーバ３００は、予約情報受信部３３０、予約情報記憶部３４０、及び予約情報送信部３５０を備える。
【００４０】
予約情報受信部３３０は、ユーザ端末２００から、ＩＣタグ２２が記憶しているユーザ識別情報を、ユーザが選択した目的地の目的地識別情報、及び予約情報に対応付けて受信する。予約情報記憶部３４０は、予約情報受信部３３０が受信したユーザ識別情報、目的地識別情報、及び予約情報を互いに対応付けて記憶する。
【００４１】
予約情報送信部３５０は、目的地に設置された目的地端末６００から、ユーザ識別情報を当該目的地の目的地識別情報に対応付けて受信する。そして予約情報送信部３５０は、受信したユーザ識別情報及び目的地識別情報の組み合わせに対応する予約情報を、予約情報記憶部３４０から読み出して目的地端末６００に送信する。
【００４２】
なお、図４において、本発明の本質に関わらない部分の構成については省略している。図４に示した目的地情報サーバ３００の各構成要素は、ハードウエア単位の構成ではなく、機能単位のブロックを示している。目的地情報サーバ３００の各構成要素は、任意のコンピュータのＣＰＵ、メモリ、メモリにロードされた本図の構成要素を実現するプログラム、そのプログラムを格納するハードディスクなどの記憶ユニット、ネットワーク接続用インタフェースを中心にハードウエアとソフトウエアの任意の組合せによって実現される。そして、その実現方法、装置には様々な変形例があることは、当業者には理解されるところである。
【００４３】
図５は、目的地情報記憶部３１０が記憶しているデータをテーブル形式で示す図である。目的地情報記憶部３１０は、目的地別に目的地情報及び目的地識別情報を互いに対応付けて記憶している。目的地情報は、例えばｈｔｍｌデータであるが、テキストデータであっても良い。
【００４４】
図６は、予約情報記憶部３４０が記憶しているデータをテーブル形式で示す図である。予約情報記憶部３４０は、目的地識別情報、ユーザ識別情報、及び予約情報を互いに対応付けて記憶している。本図に示す例において、目的地識別情報は特定のゴルフ場を示している。そして予約情報は、ゴルフの予約日時を示す情報である。
【００４５】
図７は、ナビゲーション装置４００の機能構成を示すブロック図である。ナビゲーション装置４００は、位置情報記憶部４１０、読取部４２０、目的地設定部４３０、及び表示部４４０を備える。位置情報記憶部４１０は、目的地それぞれごとに、位置情報及び目的地識別情報を互いに対応付けて記憶する。読取部４２０は、ＩＣタグ２２から目的地識別情報を読み取る。目的地設定部４３０は、読取部４２０が読み取った目的地識別情報が示す位置情報を、位置情報記憶部４１０から読み出し、この位置情報を用いて行き先を設定する。表示部４４０は、設定結果をナビゲーション装置４００の表示装置に表示させる。
【００４６】
なお、図７において、本発明の本質に関わらない部分の構成については省略している。図７に示したナビゲーション装置４００の各構成要素は、ハードウエア単位の構成ではなく、機能単位のブロックを示している。ナビゲーション装置４００の各構成要素は、任意のコンピュータのＣＰＵ、メモリ、メモリにロードされた本図の構成要素を実現するプログラム、そのプログラムを格納するハードディスクなどの記憶ユニット、ネットワーク接続用インタフェースを中心にハードウエアとソフトウエアの任意の組合せによって実現される。そして、その実現方法、装置には様々な変形例があることは、当業者には理解されるところである。
【００４７】
図８は、位置情報記憶部４１０が記憶しているデータをテーブル形式で示す図である。位置情報記憶部４１０は、目的地名、位置情報、及び目的地識別情報を互いに対応付けて記憶している。
【００４８】
図９は、図１に示した目的地設定システムの第１の動作を示すフローチャートである。この動作は、ユーザがユーザ端末２００を用いて目的地の情報を収集して予約を行うときの動作を示している。
【００４９】
まずユーザは、読取書込装置１００に鍵２０をかざす。すると読取書込装置１００の読取部１１０は、鍵２０のＩＣタグ２２から情報を読み取る（ステップＳ１０）。読み取られる情報には、ユーザ識別情報及び接続情報が含まれる。読取書込装置１００の情報送信部１２０は、読取部１１０が読み取った情報をユーザ端末２００に出力する。
【００５０】
ユーザ端末２００の読取情報受信部２１０は、読取書込装置１００が出力した情報を受信する。そしてユーザ端末２００の情報送信部２２０は、接続情報を用いて目的地情報サーバ３００に接続する（ステップＳ２０）。目的地情報サーバ３００への接続は、例えば上述したようにゲートウェイサーバ５００を介して行われる。
【００５１】
目的地情報サーバ３００の目的地情報送信部３２０は、ユーザ端末２００からの接続要求を受信すると、目的地情報を提供するための画面データをユーザ端末２００に送信する（ステップＳ３０）。この画面データには、目的地の目的地識別情報が含まれている。
【００５２】
ユーザ端末２００の目的地情報受信部２３０は、目的地情報サーバ３００から画面データを受信する。目的地情報表示部２４０は、目的地情報受信部２３０が受信した画面データを用いて、ユーザ端末２００の表示装置に目的地情報を提供するための画面を表示する（ステップＳ４０）。ユーザは、表示装置に表示された目的地情報に基づいて目的地を選択し、その目的地における予約情報をユーザ端末２００の選択情報入力部２５０に入力する（ステップＳ５０）。ここで入力されるデータには、選択した目的地を特定する情報が含まれる。そして選択情報入力部２５０は、選択した目的地の目的地識別情報を、入力された予約情報、及び読取書込装置１００がＩＣタグ２２から読み取ったユーザ識別情報に対応付けて目的地情報サーバ３００に送信する（ステップＳ６０）。
【００５３】
目的地情報サーバ３００の予約情報受信部３３０は、ユーザ端末２００から目的地識別情報、ユーザ識別情報、及び予約情報を受信すると、受信したこれらの情報を互いに対応付けて予約情報記憶部３４０に記憶させる（ステップＳ７０）。
【００５４】
またユーザ端末２００の選択情報入力部２５０は、ユーザが選択した目的地の目的地識別情報を読取書込装置１００に出力する。読取書込装置１００の情報受信部１３０は、選択情報入力部２５０から目的地識別情報を受信する。そして読取書込装置１００の書込部１４０は、情報受信部１３０が受信した目的地識別情報をＩＣタグ２２に書き込む（ステップＳ８０）。
【００５５】
図１０は、図１に示した目的地設定システムの第２の動作を示すフローチャートである。この動作は、ユーザがナビゲーション装置４００に目的地を設定するときの動作を示している。
【００５６】
ユーザは、車に乗り込むとナビゲーション装置４００に鍵２０をかざす。するとナビゲーション装置４００の読取部４２０は、鍵２０のＩＣタグ２２から目的地識別情報を読み取る（ステップＳ１１０）。次いでナビゲーション装置４００の目的地設定部４３０は、読取部４２０が読み取った目的地識別情報に対応する目的地名及び位置情報を、位置情報記憶部４１０から読み出す（ステップＳ１２０）。そして目的地設定部４３０は、読み出した位置情報を用いて目的地の設定処理を行う（ステップＳ１３０）。そして表示部４４０は、目的地の設定結果を、目的地名に対応付けてナビゲーション装置４００の表示装置に表示させる。なお、目的地設定部４３０は、読み出した位置情報が示す位置や施設名をまず表示し、ユーザが表示を確認した後に目的地設定入力を行ってから、目的地の設定処理を行っても良い。
【００５７】
図１１は、図１に示した目的地設定システムの第３の動作を示すフローチャートである。この動作は、ユーザが目的地に到着してチェックインするときの動作を示している。
【００５８】
まずユーザは、鍵２０を目的地端末６００の読取装置にかざす。すると読取装置は、鍵２０のＩＣタグ２２からユーザ識別情報を読み取る（ステップＳ２１０）。目的地端末６００は、読取装置が読み取ったユーザ識別情報を、目的地端末６００が予め記憶している目的地識別情報に対応付けて目的地情報サーバ３００に送信する（ステップＳ２２０）。
【００５９】
目的地情報サーバ３００の予約情報送信部３５０は、目的地端末６００からユーザ識別情報及び目的地識別情報を受信する。そして予約情報送信部３５０は、受信したユーザ識別情報及び目的地識別情報の組み合わせに対応する予約情報を、予約情報記憶部３４０から読み出す（ステップＳ２３０）。そして予約情報送信部３５０は、読み出した予約情報を目的地端末６００に送信する（ステップＳ２４０）。目的地端末６００は、受信した予約情報を表示装置に表示させる（ステップＳ２５０）。
【００６０】
次に、本実施形態の作用及び効果について説明する。本実施形態によれば、ユーザがユーザ端末２００を用いて目的地情報を検索して目的地における予約をしたときに、車の鍵２０のＩＣタグ２２に目的地識別情報が書き込まれる。そしてユーザがナビゲーション装置４００に鍵２０をかざすと、ナビゲーション装置４００がＩＣタグ２２から目的地識別情報を読み出し、この目的地識別情報に基づいて目的地を設定する。従って、目的地の設定を簡略化することができる。
【００６１】
またＩＣタグ２２又は読取書込装置１００は、目的地情報サーバ３００に接続するための接続情報を予め記憶している。そしてユーザ端末２００は、この接続情報を用いて目的地情報サーバ３００に接続する。従って、ユーザは、鍵２０を読取書込装置１００にかざすのみで、ユーザ端末２００を目的地情報サーバ３００に接続することができる。
【００６２】
また目的地情報サーバ３００は、ユーザ端末２００から送信されてきた予約情報を、目的地識別情報及びユーザ識別情報に対応付けて記憶している。そして目的地端末６００が、ＩＣタグ２２からユーザ識別情報を読み取り、このユーザ識別情報と目的地識別情報を送信してくると、目的地情報サーバ３００は、ユーザ識別情報と目的地識別情報の組み合わせに対応する予約情報を目的地端末６００に送信する。従って、ユーザは、目的地において鍵２０を読取装置にかざすのみで、チェックインを行うことができる。
【００６３】
（第２の実施形態）
図１２は、第２の実施形態に係る目的地設定システムの構成を示す図である。第１の実施形態に係る目的地設定システムは、ユーザが選択した目的地識別情報をＩＣタグ２２に書き込んでいたが、第２の実施形態に係る目的地設定システムは、ユーザが選択した目的地識別情報を、目的地情報サーバ３００がユーザ識別情報に対応付けて記憶する。そして、ナビゲーション装置４００は、無線通信を介して通信網５０に接続する。そしてナビゲーション装置４００は、ゲートウェイサーバ５００を介して目的地情報サーバ３００に接続し、目的地情報サーバ３００から目的地識別情報を受信する。以下、第１の実施形態と同様の構成については同一の符号を付し、説明を省略する。
【００６４】
図１３は、本実施形態における目的地情報サーバ３００の機能構成を示すブロック図である。この目的地情報サーバ３００は、予約情報受信部３３０が選択情報受信部として機能する点、予約情報記憶部３４０が選択情報記憶部として機能する点、及び目的地識別情報送信部３６０を備える点を除いて、第１の実施形態に係る目的地情報サーバ３００と同様の構成である。
【００６５】
予約情報受信部３３０は、第１の実施形態と同様に、ユーザが選択した目的地の目的地識別情報を、ＩＣタグ２２が記憶しているユーザ識別情報に対応付けて受信する。このとき予約情報受信部３３０は、予約情報も受信する。予約情報記憶部３４０は、第１の実施形態と同様に、予約情報受信部３３０が受信した目的地識別情報及びユーザ識別情報を互いに対応付けて記憶する。このとき予約情報記憶部３４０は、予約情報も記憶する。
【００６６】
目的地識別情報送信部３６０は、ナビゲーション装置４００からユーザ識別情報を受信する。そして目的地識別情報送信部３６０は、受信したユーザ識別情報に対応する目的地識別情報を予約情報記憶部３４０から読み出してナビゲーション装置４００に送信する。
【００６７】
図１４は、本実施形態に係るナビゲーション装置４００の機能構成を示すブロック図である。このナビゲーション装置４００は、送信部４２５及び目的地識別情報受信部４３５を備える点、並びに目的地設定部４３０の動作を除いて、第１の実施形態に係るナビゲーション装置４００と同様の構成である。
【００６８】
送信部４２５は、読取部４２０が読み取ったユーザ識別情報を目的地情報サーバ３００に送信する。目的地識別情報受信部４３５は、目的地情報サーバ３００から目的地識別情報を受信する。そして目的地設定部４３０は、目的地識別情報受信部４３５が受信した目的地識別情報が示す位置情報を位置情報記憶部４１０から読み出し、この位置情報を用いて行き先を設定する。
【００６９】
図１５は、本実施形態の目的地設定システムにおいて、ユーザが予約を行うときの動作を示すフローチャートである。本図に示す動作は、第１の実施形態における図９に相当している。本図に示す動作は、鍵２０のＩＣタグ２２に目的地識別情報が書き込まれない点、すなわち図９のステップＳ８０が省略されている点を除いて、図９に示した動作と同様である。
【００７０】
図１６は、本実施形態の目的地設定システムにおいて、ユーザがナビゲーション装置４００に目的地を設定するときの動作を示すフローチャートである。ユーザは、車に乗り込むとナビゲーション装置４００に鍵２０をかざす。するとナビゲーション装置４００の読取部４２０は、鍵２０のＩＣタグ２２からユーザ識別情報を読み取る（ステップＳ３１０）。次いでナビゲーション装置４００の送信部４２５は、読取部４２０が読み取ったユーザ識別情報を目的地情報サーバ３００に送信する（ステップＳ３２０）。
【００７１】
目的地情報サーバ３００の目的地識別情報送信部３６０は、ナビゲーション装置４００からユーザ識別情報を受信すると、受信したユーザ識別情報に対応する目的地識別情報を予約情報記憶部３４０から読み出す（ステップＳ３３０）。そして目的地識別情報送信部３６０は、読み出した目的地識別情報をナビゲーション装置４００に送信する（ステップＳ３４０）。
【００７２】
ナビゲーション装置４００の目的地識別情報受信部４３５は、目的地情報サーバ３００から目的地識別情報を受信する。そしてナビゲーション装置４００の目的地設定部４３０は、目的地識別情報受信部４３５が受信した目的地識別情報に対応する目的地名及び位置情報を、位置情報記憶部４１０から読み出す（ステップＳ３５０）。そして目的地設定部４３０は、読み出した位置情報を用いて目的地の設定処理を行う（ステップＳ３６０）。そして表示部４４０は、目的地の設定結果を、目的地名に対応付けてナビゲーション装置４００の表示装置に表示させる。
【００７３】
なお本実施形態の目的地設定システムにおいて、ユーザが目的地に到着してチェックインするときの動作は、第１の実施形態と同様である。
【００７４】
本実施形態によっても、第１の実施形態と同様の効果を得ることができる。
【００７５】
以上、図面を参照して本発明の実施形態について述べたが、これらは本発明の例示であり、上記以外の様々な構成を採用することもできる。例えば上記した実施形態において、鍵２０のＩＣタグ２２に目的地識別情報が書き込まれるタイミングは、予約情報を入力したときであったが、単にユーザが目的地の選択入力を行ったタイミングであっても良い。またナビゲーション装置４００の読取部４２０が鍵２０のＩＣタグ２２から情報を読み取ったときに、車のエンジンを始動させても良い。
【００７６】
また、第１の実施形態において、鍵２０のＩＣタグ２２は、複数の目的地識別情報を、経由順序を示す情報に対応付けて記憶しても良い。また第２の実施形態において、目的地情報サーバ３００の予約情報記憶部３４０は、複数の目的地識別情報を、経由順序を示す情報に対応付けて記憶しても良い。これらの場合、ナビゲーション装置４００の読取部４２０又は目的地識別情報受信部４３５は、目的地識別情報を、経由順序を示す情報に対応付けて取得する。そしてナビゲーション装置４００の目的地設定部４３０は、複数の目的地識別情報それぞれに対応する位置情報を読み出し、これら位置情報を、経由順序を示す情報に従って経由するようにルートを設定する。
【００７７】
また上記した各実施形態において、ＩＣタグ２２は鍵２０に取り付けられていなくてもよく、ユーザが携帯する他の物に取り付けられていても良い。
【００７８】
またＩＣタグ２２は、ユーザの車の電子制御ユニットの種類を特定する情報を、例えばナビゲーション装置４００から書き込まれても良い。この場合ユーザは、ユーザ端末２００に電子制御ユニットの種類を特定する情報を読み込ませて、ユーザ端末２００でその種類を確認することができる。またユーザ端末２００が直接その車のディーラのウェブサイトに接続しても良い。また読取書込装置１００がＩＣタグ２２に、音楽の曲別に割り振られたコードと、その曲の内容を説明するテキストデータとを互いに対応付けて書込み、これらのデータをナビゲーション装置４００に読み込ませ、ナビゲーション装置４００が保持している楽曲情報データベースを更新させても良い。
【符号の説明】
【００７９】
２０ 鍵
２２ ＩＣタグ
５０ 通信網
１００ 読取書込装置
１１０ 読取部
１２０ 情報送信部
１３０ 情報受信部
１４０ 書込部
２００ ユーザ端末
２１０ 読取情報受信部
２２０ 情報送信部
２３０ 目的地情報受信部
２４０ 目的地情報表示部
２５０ 選択情報入力部
３００ 目的地情報サーバ
３１０ 目的地情報記憶部
３２０ 目的地情報送信部
３３０ 予約情報受信部
３４０ 予約情報記憶部
３５０ 予約情報送信部
３６０ 目的地識別情報送信部
４００ ナビゲーション装置
４１０ 位置情報記憶部
４２０ 読取部
４２５ 送信部
４３０ 目的地設定部
４３５ 目的地識別情報受信部
４４０ 表示部
５００ ゲートウェイサーバ
６００ 目的地端末
【図１】
2010210578.tif 000003
【図２】
2010210578.tif 000004
【図３】
2010210578.tif 000005
【図４】
2010210578.tif 000006
【図５】
2010210578.tif 000007
【図６】
2010210578.tif 000008
【図７】
2010210578.tif 000009
【図８】
2010210578.tif 000010
【図９】
2010210578.tif 000011
【図１０】
2010210578.tif 000012
【図１１】
2010210578.tif 000013
【図１２】
2010210578.tif 000014
【図１３】
2010210578.tif 000015
【図１４】
2010210578.tif 000016
【図１５】
2010210578.tif 000017
【図１６】
2010210578.tif 000018